(57)【要約】      （修正有）【課題】簡単な構造、合理的な設計によって、使用に便利な液体補給ボトルを提供する。【解決手段】液体入れ内側ボトルの上部の外側に装飾用外殻体４が設けられ、装飾用外殻体４の中部の外側に装飾ストップリング５が設けられる。これにより、美観性が大幅に改善される。装飾用外殻体４の下部の外側に止め台が設けられる。液体入れ内側ボトルの外部に液体入れボトルの外殻体７が套設され、液体入れボトルの外殻体の内部に液体入れボトルの外殻体の内貼りが設けられ、液体入れボトルの外殻体の内貼りの上端の内部に止め台と合わせる止め溝が設けられる。装飾用外殻体４のオーバーキャップはボトルキャップの外部に套設され、装飾用外殻体４のオーバーキャップの下部の縁は装飾ストップリング５の上部に設けられる。液体注入口１２が液体補給ボトルの内部に設けられることで、実用性が増す。【選択図】図４
0003225703.tif 000002
【実用新案登録請求の範囲】
【請求項１】
液体入れ内側ボトル、ボトルキャップ、液体注入口、装飾用外殻体のオーバーキャップ、装飾用外殻体、装飾ストップリング、止め台、液体入れボトルの外殻体、液体入れボトルの外殻体の内貼り及び止め溝を備え、
前記液体入れ内側ボトルは、その上端の外部にボトルキャップが套設され、その底部に液体注入口が設けられ、その上部の外側に前記装飾用外殻体が設けられ、その外部に液体入れボトルの外殻体が套設され、
前記装飾用外殻体は、その中部の外側に装飾ストップリングが設けられ、その下部の外側に止め台が設けられ、
前記の装飾ストップリング、前記装飾用外殻体及び前記止め台は一体式構造であり、
前記液体入れボトルの外殻体の内部に液体入れボトルの外殻体の内貼りが設けられ、
前記液体入れボトルの外殻体の内貼りの上端の内部に止め台と合わせる止め溝が設けられ、
前記の装飾ストップリングは、前記液体入れボトルの外殻体の上端に設けられ、
前記の装飾用外殻体のオーバーキャップは、前記ボトルキャップの外部に套設され、その下部の縁は前記装飾ストップリングの上部に設けられることを特徴とする、液体補給ボトル。
【請求項２】
前記装飾用外殻体のオーバーキャップと前記ボトルキャップは一体式構造であり、
前記装飾用外殻体のオーバーキャップの底部の内側に突起が設けられ、
前記装飾用外殻体の中部に突起と合わせる穴が設けられ、
前記装飾用外殻体のオーバーキャップは、前記液体入れ内側ボトルの上端の外部に設けられることを特徴とする、請求項１に記載の液体補給ボトル。
【請求項３】
前記液体注入口は、その内壁の連結ねじ山を介して前記液体入れ内側ボトルの底部と連結、固定されることを特徴とする、請求項１又は２に記載の液体補給ボトル。
【請求項４】
前記液体入れボトルの外殻体の長さは、前記装飾用外殻体のオーバーキャップの長さの２〜３倍であることを特徴とする、請求項１〜３のいずれか１項に記載の液体補給ボトル。
【考案の詳細な説明】
【技術分野】
【０００１】
本考案は、液体補給ボトルに関する。
【背景技術】
【０００２】
従来のスプレータイプの液体補給ボトル（例えば特許文献１を参照）は、ボトル本体と外殻体は一体化となり、ボトル本体の外殻体の外側（多くの場合は底部）に液体補給用の貫通穴が設けられ、外殻体の外側から液体が補給されることになる。このような液体補給方式は、液体の漏洩などの問題で使用に不便であり、改善が強く望まれる。
【先行技術文献】
【特許文献】
【０００３】
【特許文献１】特開２０１９−１８９２９３号公報
【考案の概要】
【考案が解決しようとする課題】
【０００４】
本考案は、簡単な構造、合理的な設計によって、使用に便利な液体補給ボトルを提供することを課題とする。
【課題を解決するための手段】
【０００５】
液体注入口を液体補給ボトルの内部に設けることで、実用性を増す。さらに、装飾用外殻体が設けられることによって、全体的な美観性を大幅に改善する。
【０００６】
本考案の液体補給ボトルは、
液体入れ内側ボトル、ボトルキャップ、液体注入口、装飾用外殻体のオーバーキャップ、装飾用外殻体、装飾ストップリング、止め台、液体入れボトルの外殻体、液体入れボトルの外殻体の内貼り及び止め溝を備え、
前記液体入れ内側ボトルは、その上端の外部にボトルキャップが套設され、その底部に液体注入口が設けられ、その上部の外側に前記装飾用外殻体が設けられ、その外部に液体入れボトルの外殻体が套設され、
前記装飾用外殻体は、その中部の外側に装飾ストップリングが設けられ、その下部の外側に止め台が設けられ、
前記の装飾ストップリング、前記装飾用外殻体及び前記止め台は一体式構造であり、
前記液体入れボトルの外殻体の内部に液体入れボトルの外殻体の内貼りが設けられ、
前記液体入れボトルの外殻体の内貼りの上端の内部に止め台と合わせる止め溝が設けられ、
前記の装飾ストップリングは、前記液体入れボトルの外殻体の上端に設けられ、
前記の装飾用外殻体のオーバーキャップは、前記ボトルキャップの外部に套設され、その下部の縁は前記装飾ストップリングの上部に設けられることを特徴とする。
【０００７】
本考案の液体補給ボトルは、
前記装飾用外殻体のオーバーキャップと前記ボトルキャップは一体式構造であり、
前記装飾用外殻体のオーバーキャップの底部の内側に突起が設けられ、
前記装飾用外殻体の中部に突起と合わせる穴が設けられ、
前記装飾用外殻体のオーバーキャップは、前記液体入れ内側ボトルの上端の外部に設けられることを特徴とする。
【０００８】
本考案の液体補給ボトルは、
前記液体注入口は、その内壁の連結ねじ山を介して前記液体入れ内側ボトルの底部と連結、固定されることを特徴とする。
【０００９】
本考案の液体補給ボトルは、
前記液体入れボトルの外殻体の長さは、前記装飾用外殻体のオーバーキャップの長さの２〜３倍であることを特徴とする。
【考案の効果】
【００１０】
本考案によれば、簡単な構造、合理的な設計によって、使用に便利な液体補給ボトルを提供することができる。その結果として、本考案の液体補給ボトルは、従来の液体補給ボトルに比して、全体的な美観性が大幅に改善され、実用性が増す。また、本考案の液体補給ボトルは、簡単な構造、合理的な設計によって、低い製作コストを実現する。
【図面の簡単な説明】
【００１１】
【図１】図１は、液体補給ボトルの構造を示す図である。
【図２】図２は、液体入れ内側ボトルの構造を示す図である。
【図３】図３は、液体注入口の構造を示す図である。
【図４】図４は、液体補給ボトルの構造を示す断面図である。
【図５】図５は、図４のＡ部分の拡大図である。
【図６】図６は、図４のＢ部分の拡大図である。
【考案を実施するための形態】
【００１２】
以下、本考案の実施形態について図面を参照して説明する。
【００１３】
図１から図６を参照すると、本具体的な実施形態で採用される技術的解決手段は：液体入れ内側ボトル１、ボトルキャップ３及び液体注入口１２を備える。液体入れ内側ボトル１の上端の外部にはボトルキャップ３が套設され、液体入れ内側ボトル１の底部には液体注入口１２が設けられている。
【００１４】
さらに、装飾用外殻体のオーバーキャップ２、装飾用外殻体４、装飾ストップリング５、止め台６、液体入れボトルの外殻体７、液体入れボトルの外殻体の内貼り８及び止め溝９を備える。
【００１５】
液体入れ内側ボトル１の上部の外側に装飾用外殻体４が設けられている。装飾用外殻体４は、好ましくはプラスチック製の外殻体であり、プラスチック接着剤を使い液体入れ内側ボトル２と接着、固定される。装飾用外殻体４の中部の外側に装飾ストップリング５が設けられ、装飾用外殻体４の下部の外側に止め台６が設けられている。装飾ストップリング５、装飾用外殻体４及び止め台６は射出一体成形される。
【００１６】
液体入れ内側ボトル１の外部に液体入れボトルの外殻体７が套設され、液体入れボトルの外殻体７の内壁にステッカーによって液体入れボトルの外殻体の内貼り８が設けられ、液体入れボトルの外殻体の内貼り８の上端の内部に止め台６と合わせる止め溝９が設けられている。
【００１７】
装飾ストップリング５は液体入れボトルの外殻体7の上端に設けられている。装飾用外殻体４のオーバーキャップ２はボトルキャップ３の外部に套設され、装飾用外殻体のオーバーキャップ２の下部の縁は装飾ストップリング５の上部に設けられている。
【００１８】
装飾用外殻体のオーバーキャップ２とボトルキャップ３は一体構造である。すなわち、両者の下部に接着剤によって一体に固定されている。また、装飾用外殻体のオーバーキャップ２の底部の内側に突起１０が設けられ、装飾用外殻体4の中部に突起１０と合わせる穴１１が設けられ、装飾用外殻体のオーバーキャップ２は液体入れ内側ボトル１の上端の外部に設けられる。
【００１９】
さらに、液体注入口１２は、その内壁の連結ねじ山１３を介して液体入れ内側ボトル１の底部と連結、固定される。
【００２０】
液体入れボトルの外殻体７と装飾用外殻体のオーバーキャップ２の長さ（図１における上下方向の長さ）の比は２：１である。この比によって、装飾用外殻体のオーバーキャップ２が上側に存在して見える。比は、２：１に限定されず、２：１〜３：１の間であればよい。
【００２１】
本実施形態の動作において、液体入れ内側ボトル１を液体入れボトルの外殻体７の内部に取り付け、液体注入口１２を液体入れボトルの外殻体７の内部に隠す。そして、液体入れ内側ボトル１の外部に装飾ストップリング５を設けて、全体を飾る。美観性を大幅に改善することができる。また、液体注入口１２が液体補給ボトルの内部に設けられることで、実用性が増す。かかる簡単な構造と合理的な設計により、低い製作コストを実現することもできる。
【００２２】
以上に述べた本実施形態の説明は、本実用新案の技術的解決手段を説明するための一例であり、本実用新案の請求項の範囲だを制限するものではない。本実用新案は、実用新案登録請求の範囲の全般にわたり、本実施形態の修正及び同等の置換を行ったものをも含む。
【産業上の利用可能性】
【００２３】
簡単な構造、合理的な設計によって、使用に便利な液体補給ボトルである。多くの者による利用が考えられる。
【符号の説明】
【００２４】
１    液体入れ内側ボトル
２    装飾用外殻体のオーバーキャップ
３    ボトルキャップ
４    装飾用外殻体
５    装飾ストップリング
６    止め台
７    液体入れボトルの外殻体
８    液体入れボトルの外殻体の内貼り
９    止め溝
１０  突起
１１  穴
１２  液体注入口
１３  連結ねじ山
【図１】
0003225703.tif 000003
【図２】
0003225703.tif 000004
【図３】
0003225703.tif 000005
【図４】
0003225703.tif 000006
【図５】
0003225703.tif 000007
【図６】
0003225703.tif 000008